(57)【要約】【課題】船首下部で水平板２３を具備した球状船首２の上方に凹部２４を設けることで、船首波を起こさせないようにし、バラストタンクを型幅を３等分に区画し、中央区画をバラストタンクとして使用しないことで横傾斜調整機能を向上可能とする。【解決手段】船体１内には縦隔壁６３、６４により型幅を３等分し、中央に位置する区画は空間部１０とし、左右区画はバラストタンク７５として使用する。球状船首２２の上方かつ船首下部における満載喫水線位置には、船尾方向に窪み船体１の型幅方向に延びる凹部２４を設けている。球状船首２２には水平板２３を設けている。【選択図】図１
2009190717.tif 000002
【特許請求の範囲】
【請求項１】
コンテナを船体内に格納せず上甲板上のみに積載するために、上甲板にハッチ開口及び該ハッチ開口を開閉するハッチカバーを設けず、船首水面下には球状船首を設け、
水平板を前記球状船首の前端から船体の前部に亘り左右側方に突き出して設けたことを特徴とするコンテナ船。
【請求項２】
コンテナを船体内に格納せず上甲板上のみに積載するために、上甲板にハッチ開口及び該ハッチ開口を開閉するハッチカバーを設けず、船首水面下には球状船首を設け、
水平板を前記球状船首の前端から船体の前部に亘り、左右側方に突き出して設け、
前記船体の船首側から船尾側に亘り、縦隔壁と該縦隔壁と直交する横隔壁により複数の空間を設け、
船底と横隔壁により囲まれた最下層空間のうち船体の縦中心線上に位置する空間以外の空間をバラストタンクとし、
船体の左右両舷側に位置する対となるバラストタンクは、船体の縦中心線を中心として左右対称の同一形状を有して対向する位置に夫々設けられていることを特徴とするコンテナ船。
【請求項３】
コンテナを船体内に格納せず上甲板上のみに積載するために、上甲板にハッチ開口及び該ハッチ開口を開閉するハッチカバーを設けず、船首水面下には球状船首を設け、
水平板を前記球状船首の前端から船体の前部に亘り、左右側方に突き出して設け、
前記船体の船首側から船尾側に亘り、縦隔壁と該縦隔壁と直交する横隔壁により複数の空間を設け、
船底と横隔壁により囲まれた最下層空間のうち、船尾側に於ける船体の縦中心線上に位置する空間以外の空間をバラストタンクとし、
船体の船尾側に於ける左右両舷側に位置する対となるバラストタンクを、船体の縦中心線を中心として左右対称に対向する位置に夫々設けられていることを特徴とするコンテナ船。
【請求項４】
上記左右両舷側に設けた対となるバラストタンクは、バラストタンク上端横断面の横幅が船体型幅の夫々１／３であることを特徴とする請求項２又は３に記載のコンテナ船。
【請求項５】
上記水平板が、該水平板の上面を上面の延長線が船体の縦方向中心線と直交する平坦面に形成され、水平板の下面は水平板の肉厚を船体側から外側方にかけて漸次薄くなるような傾斜面に形成されてなることを特徴とする請求項１〜４のいずれかに記載のコンテナ船。
【請求項６】
上記船首が、該船首の下部に於ける満載喫水線位置には船尾方向に窪む凹部を設けたことを特徴とする請求項１〜５のいずれかに記載のコンテナ船。
【請求項７】
上記船体には居住室を操舵室の下方に設けることなく甲板下に設け、前記居住室の上方にコンテナを積載可能にしたことを特徴とする請求項１〜６のいずれかに記載のコンテナ船。
【発明の詳細な説明】
【技術分野】
【０００１】  本発明は、コンテナを上甲板上にのみ積載する単胴型のコンテナ船に関する。
【背景技術】
【０００２】  従来、コンテナ船は、船首から船尾に亘り船体内を複数の隔壁により区画して複数の貨物格納用ホールドを設け、これら各貨物格納用ホールドに多数個のコンテナが密に積載格納されるようにすると共に、甲板には各貨物格納用ホールド毎に夫々ハッチ開口を設け、ハッチ開口を閉塞するハッチカバーを開閉可能に設け、ハッチカバーの上面上にも多数個のコンテナを密に複数段複数列積載するようにし、船体内の後部に設けた機関室の上方に於ける甲板上には居住室を、居住室の上方には操舵室を設け、操舵室の前部には前方を見渡すことが可能に透明ガラス窓を設け、操舵室、居住室及び機関室は互いに階段、昇降装置等により連絡され、船員が操舵室、居住室及び機関室へ容易に行き来可能にしている（例えば、特許文献１又は特許文献２参照）。【０００３】  従来のコンテナ船はハッチ開口を閉口したハッチカバー上にもコンテナを積載するため、積載したコンテナの横ずれが発生したり、ハッチカバー上に積載されたコンテナのラッシング作業のために作業員が作業用ステージに登る必要性があり高所での積載荷役作業に危険が伴い、且つ積載荷役作業時間も長くなっていた。又、ハッチカバーに負荷が掛かり過ぎるためハッチカバーの耐荷重性を高める為にハッチカバーが重量化し、軽量化が困難であるという問題点があった。
この問題点を解決するために、ハッチカバーの平面形状に対応する大きさの枠体上にコンテナの長手方向に対向してガイド金物を起立させた後に固定する固定装置を設け、ガイド金物の上方部には最上段に積み上げられたコンテナ下部の４隅を固定する緊締装置を設け、多段及び多列に積載するコンテナの横ずれを防止するようにしたコンテナ船が提案されている（例えば、特許文献３参照）。
又、貨物格納用ホールドの開口部に直立柱を設け、直立柱の前後側面に夫々可動式セルガイドと固定式セルガイドを設け、可動式セルガイドと固定式セルガイド間にコンテナが案内されるようにして、ハッチカバー上へのコンテナ積載荷役作業の効率化及びコンテナのラッシング作業のための危険な高所作業を省略して積載作業の安全化を図り、また、カバー上に積載されたコンテナの総重量の一部が直立柱で負担されるようにすることで、ハッチカバーに負荷されるコンテナの荷重が軽減されるようにしハッチカバーの軽量化を可能にし、ひいては船体の長さが船体の長さ方向に設けられた多数の作業用ステージの長さの合計分の長さを短くすることを可能にしたコンテナ船が提案されている（例えば、特許文献４参照）。【０００４】  又、甲板下には隔壁により区画された貨物格納用ホールドを設け、この貨物格納用ホールド下方に於ける船舶の船底及び舷を外側壁と内側壁による二重壁に形成し、この二重壁を構成する外側壁と内側壁との間に海水を収容可能にして二重壁にバラストタンクの機能をもたせると共に、貨物格納用ホールド下方の内側壁に囲まれる内側には燃料タンクとしての機能をもたせ、座礁等により船底や舷に亀裂が生じ外側壁のみが破損してもバラストタンク内の海水を海に漏出させるようにし、燃料タンクは内側壁により保護され、燃料が海に漏れ出さないようにし、居住室は上甲板上の操舵室の下階に設けた構造の貨物船が存在する（例えば、特許文献５参照）。【０００５】  ところで、上記従来のいずれのコンテナ船も船尾に設けた推進用プロペラがエンジンの出力軸と連結する構成であるため、エンジンを搭載した機関室は必然的に推進用プロペラ近傍に位置する船体後部に位置し、機関室の上方に居住室を、居住室上方には操舵室を階段やエレベータ等で連絡し、船員が各室を容易に行き来可能な構造にしている。船舶は、船橋からの見通し規則（Ｃｌａｓｓ  ＮＫ  Ｃｈａｐｔｅｒ  ２  ＮａｖｉｇａｔｉｏｎＢｒｉｄｇｅ  Ｖｉｓｉｂｉｌｉｔｙ  ２．１．１）により、船首から船長の２倍の長さより手前又は前方５００ｍ手前を見通し可能であることが条件となっている。上記特許文献１〜５に記載のコンテナ船は、駆動システムの構造上の見地より、操舵室は船尾側に設けた機関室の上方に位置している。そのため、甲板上に積載するコンテナの大部分は、操舵室の前方から船首に亘り積載することとなる。操舵室の前方から船首に亘り積載するコンテナの積載高さは、前記見通し規則により定められた前方の視界を確保するために、操舵室の高さ以下でなければならず、しかも船首から船長の２倍の長さより手前又は前方５００ｍ手前を見通し可能にするため、船首側になるに従い階段状に低く積載する必要性があり、コンテナの積載高さに制限があり、コンテナ積載量が制限されるという問題点があった。操舵室からの見通しを良好にし、しかも積載高さを高くするためには、操舵室の高さを高くすることが考えられるが、コンテナ船には架橋下を通過するための高さ制限があるため、操舵室を高くするという手段は選択できない。
この問題点を解決する為に、船首から船尾に亘り船体内を複数の隔壁により区画して複数の貨物格納用ホールドを設け、甲板には各貨物格納用ホールドの各ハッチ開口を閉塞するハッチカバーを夫々設け、船体の船首側に発電機を具備した発電室を設け、該発電室の上部に操舵室を含む居住室を設け、船尾側には推進用プロペラを回転させる駆動モータを設け、船首側の発電機と船尾側の駆動モータを電気的に接続したコンテナ船が提案されている（例えば、特許文献６参照）。特許文献６に記載のコンテナ船は操舵室が船首側にあるので、最大積載量のコンテナを甲板上に積載しても前方の見通しに何ら影響は無く、安全航行が可能であるという長所がある。【０００６】  上記特許文献１〜６に記載の従来例のコンテナ船は船舶内部に隔壁で区画された複数の貨物格納用ホールドを設け、船体内の各貨物格納用ホールドにコンテナを夫々格納するために、各貨物格納用ホールドの上甲板にはハッチ開口が夫々開設されているため、船体の捩じり強度、縦強度及び局部強度等の船殻強度の確保が困難であった。又、航行の際にはハッチ開口をハッチカバーで閉塞するため各貨物格納用ホールドの通気性が悪く、各貨物格納用ホールドに通風装置を必要とした。又、上甲板上やハッチカバー上にもコンテナを積載し、積載可能なコンテナ量が少なかった。【０００７】  そこで、コンテナを船体内に格納するという従来のコンテナ船の技術常識を排除し、コンテナを上甲板上にのみ積載し船体内には積載しないコンテナ船が提案されている（例えば、特許文献７参照）。特許文献７に記載のコンテナ船は、船体の船尾側に機関室を設け、上甲板上に於ける機関室の上方には高さが操舵室よりやや低い図１中の符号３で示される部分居住室を設け、居住室の上にはコンテナを積載しないようにし、上甲板にはハッチ開口及びハッチカバーを設けず、甲板上の左右両舷にはコンテナポストとして機能する高さの水密トランクを設け、水密トランク上にもコンテナを積載可能にし、甲板下に於ける機関室の前方（船首側）には燃料タンクやバラストタンク等を設け、満載喫水線下の船体形状を痩せ形にして船体造波抵抗を低減して高速化を図り、更に、上甲板上の積載スペースが狭くなった分を補填する為にコンテナ積載段数を増加させてコンテナ積載量を増加させ、更に、船体の傾斜時に要求される復原性能を船体深さを小さくし、つまり船体高さを低くし、水密トランクを両舷側に設けることで改善している。【０００８】  しかしながら、特許文献７に記載のコンテナ船は上甲板上にのみコンテナを積載し、居住室も上甲板上に設け、居住室上にはコンテナを積載不可能な構成にしているため重心が上方に位置し、その結果生じる復原性能の低下を、傾斜時の船体深さを小さくすると共に、両舷に水密トランクを設けることで問題点を解決しようとしている。しかし、バラストタンクが船体の機関室前方の船体内全体に設けているため、実際は傾斜時の復原性能が悪い。又、船首形状が通常船首であるため造波抵抗が大きく、船首が造る波が船首から船尾に亘り船首正面を除く部分で高く、海水が甲板に打ち上がる場合もあり、甲板やコンテナが海水に濡れ易く、船首が造る波が船体の進行方向に沿って繰り返す正弦波形状であるため、船体が前後方向に揺動するという問題点があった。
近年、コンテナ船のような大型船舶は船首の水面下部分に球状部分を設けてを球状船首（バルバスバウ）にし、通常の船首が起こす波と球状部分が起こす波とが互いに打ち消し合って造波抵抗を少なくし、その結果、船舶の揺動を低減し、通常船首の船舶よりも速度を向上させている。図１２は球状船首の原理を示す図である。図１２中において、点線は球状部分が起こす波、実線が通常船首が起こす波を示す。船首水面下に球状部分を設けることで、通常船首が起こす波（実線）と球状部分が起こす波（点線）とが互いに打ち消し合い、船体のうち船首を除く船体長さ方向中途部分から船尾にかけては、球状船首でない船舶の航行の場合と比較して波が低くなり前後上下揺動は低減される。しかしながら、海水は球状部分の先端から上方へ押し上げるように移動し海面上に位置する船首正面方向に波は打ち上がり、この船首正面に打ち上げる波が、球状船首を具備する船舶を前後上下方向に揺動させる。この船舶の前後上下方向への揺動運動は、上甲板上にのみ積載する構造のコンテナ船に関しては、荷崩れ等を引き起こす一因ともなる。航行時における船体の前後上下揺動運動の一層の低減が、船舶業界に課された課題となっている。
【特許文献１】特開２０００−１２８０６７号公報
【特許文献２】特開２００１−３２８５８５号公報
【特許文献３】特開平１１−１８０３８６号公報
【特許文献４】特開平９−２３７６号公報
【特許文献５】特開２００２−３１６６８８号公報
【特許文献６】特開２００２−２２００９１号公報
【特許文献７】特開２００７−５０８１４号公報
【発明の開示】
【発明が解決しようとする課題】
【０００９】  本願発明は上記従来技術の有する問題点に鑑みて創案されたものであって、航行中の船体の前後揺動を低減し、居住室上にもコンテナを積載可能にすると共に甲板上の積載コンテナ量の増量を可能とし、船体の横方向傾斜を効率よく調整可能なコンテナ船を提供することを目的とする。
【課題を解決するための手段】
【００１０】  本願発明のうち請求項１に記載の発明は、コンテナを船体内に格納せず上甲板上のみに積載するために、上甲板にハッチ開口及び該ハッチ開口を開閉するハッチカバーを設けず、船首水面下には球状船首を設け、水平板を前記球状船首の前端から船体の前部に亘り左右側方に突き出して設けたことを特徴とする。
請求項２に記載の発明は、コンテナを船体内に格納せず上甲板上のみに積載するために、上甲板にハッチ開口及び該ハッチ開口を開閉するハッチカバーを設けず、船首水面下には球状船首を設け、水平板を前記球状船首の前端から船体の前部に亘り、左右側方に突き出して設け、前記船体の船首側から船尾側に亘り、縦隔壁と該縦隔壁と直交する横隔壁により複数の空間を設け、船底と横隔壁により囲まれた最下層空間のうち船体の縦中心線上に位置する空間以外の空間をバラストタンクとし、船体の左右両舷側に位置する対となるバラストタンクは、船体の縦中心線を中心として左右対称の同一形状を有して対向する位置に夫々設けられていることを特徴とする。
請求項３に記載の発明は、コンテナを船体内に格納せず上甲板上のみに積載するために、上甲板にハッチ開口及び該ハッチ開口を開閉するハッチカバーを設けず、船首水面下には球状船首を設け、水平板を前記球状船首の前端から船体の前部に亘り、左右側方に突き出して設け、前記船体の船首板と横隔壁により囲まれた最下層空間のうち、船尾側に於ける船体の縦中心線上に位置する空間以外の空間をバラストタンクとし、船体の船尾側に於ける左右両舷側に位置する対となるバラストタンクを、船体の縦中心線を中心として左右対称に対向する位置に夫々設けられていることを特徴とする。
請求項４に記載の発明は、上記左右両舷側に設けた対となるバラストタンクは、バラストタンク上端横断面の横幅が船体型幅の夫々１／３であることを特徴とする。
請求項５に記載の発明は、上記水平板が、該水平板の上面を上面の延長線が船体の縦方向中心線と直交する平坦面に形成され、水平板の下面は水平板の肉厚を船体側から外側方にかけて漸次薄くなるような傾斜面に形成されてなることを特徴とする。
請求項６に記載の発明は、上記船首が、該船首の下部に於ける満載喫水線位置には船尾方向に窪む凹部を設けたことを特徴とする。
請求項７に記載の発明は、上記船体には居住室を操舵室の下方に設けることなく甲板下に設け、前記居住室の上方にコンテナを積載可能にしたことを特徴とする。
【発明の効果】
【００１１】  本願発明は、甲板にハッチ開口を開設しないので、船体の捩じり強度、縦強度及び局部強度等の船殻構造強度が増すという効果がある。
本願発明は、重量のあるハッチカバーを具備しないため船体の軽量化を図ることが出来、又、船舶製造コストがハッチカバーの製造費用分を低減化できるという効果がある。
本願発明は、居住室上を含む甲板上にコンテナを積載する構造であるので、コンテナの荷積み及び荷下ろし作業性が向上するという効果がある。
本願発明は、船首の水面下に設けた球状船首の球状部分前端から船体の前部に亘り水平板を左右側方に突設しているので、航行の際に球状部分前端から発生し船首側板に沿って上方向へ進み船首正面に打ち上げようとする波を、水面下にて水平板下面により横方向へ案内し、球状部分で起きた波は海面上の船首正面に打ち上がらず、造波抵抗が極めて小となり、船体は前後方向或いは上下方向に揺動せず、航行中の船体の安定性が一層向上し、航行速度も速くなるという効果がある。
本願発明は、船首の下部に於ける満載喫水線位置には凹部を設けているため、航行の際に球状部分前端から発生し船首側板に沿って上方向へ進み船首正面に打ち上げようとする球状船首由来の波が、凹部の上壁面に当たり、凹部の上壁面で下方に跳ね返されるため、球状部分で起きた波は全く船首正面に打ち上がらず、造波抵抗はなく、船体は凹部を有しない球状船首と比較して揺動せず、一層スピードを出すことが出来るという効果がある。
本願発明は、船体型幅を縦隔壁で３等分に区画して型幅方向に３空間を形成し、船体縦中心線上に位置する空間はバラストタンクとして用いず、船体縦中心線を中心として対称となる左右両舷側に位置する空間を１対のバラストタンクとして使用することで、バラストタンクに必要な喫水機能を保持しつつ横傾斜調整機能を向上させ、且つ船体内の限られたスペースを有効活用可能であるという効果がある。
【発明を実施するための最良の形態】
【００１２】  上甲板にハッチ開口及びハッチカバーを設けないことで船殻構造強度を高め、コンテナを居住室を含む甲板上に積載することでコンテナの積載及び積み下ろし作業の安全性及び作業性を向上させると共に積載コンテナ量を増量可能にし、球状船首に水平板を設けることで船舶航行の際に球状船首が造り出す上向きの波を横方向へ導き船首正面に打ち上げる波を低くし、船首下部に凹部を設けることで球状船首由来の波を凹部上壁面に跳ね返らせて下方に進ませ船首正面に打ち上げる波を無くし、造波抵抗を著しく小さくして航行の際に発生する前後上下方向への揺動運動を著しく低減させ船舶の安定した航行及び船舶の高速化を実現した。又、喫水調整や横傾斜調整のためのバラストタンクを船体縦中心線を中心として左右両舷側に左右対称に設け、船舶によっては船体縦中心線上に位置する空間はバラストタンクとして用いないことで、バラストタンクに必要な喫水機能を保持しつつ横傾斜調整機能の向上及び船体内部の有効活用が可能なスペースの確保を実現した。
【実施例１】
【００１３】  図１は本発明の実施例におけるコンテナ船にコンテナを積載した状態の概略的左側面図、図２はコンテナ船にコンテナを積載した状態の一部切欠平面図、図３は図１のＡ−Ａ線に沿う概略断面図、図４は図１のＣ−Ｃ線に沿った各タンク及び水平板の配置状態を示す説明図である。【００１４】  図１〜図４において、船体１の内部には、船首側にハウスラスター室２を設け、船尾側に機関室３を設けている。船体１の内部であって上甲板４の下方に於けるバウスラスター室２の後方には、船体１の縦中心線と直交して縦隔壁５１を設け、バウスラスター室２と縦隔壁５１との間には船体１の縦中心線上に位置して縦隔壁６１を配設し、縦隔壁６１を中心として左右両舷側に１対のバラストタンク７１、７１が設けられている。縦隔壁５１から機関室３に亘り、縦隔壁５１、６１と９０度の角度を有して横隔壁８が配設され、横隔壁８により上甲板４と船底板９との間を上下に２分している。【００１５】  バラストタンク７１、７１の後方に於いて、横隔壁８と船底板９との間は、横隔壁８と９０度の角度を有し、縦隔壁５１と互いに平行な位置関係に離隔された縦隔壁５２、５３、５４、５５が配設されている。横隔壁８の下方に於いて、縦隔壁５１と縦隔壁５２との間には船体１の縦中心線上に縦隔壁６２を配設し、縦隔壁６２を中心として左右両舷側に１対のバラストタンク７２、７２を設けている。横隔壁８の下方に於いて縦隔壁５２から縦隔壁５５に亘り、船体１の長さ方向に沿って船体１の縦中心線と平行に配設され船体１の型幅（横幅）を３等分する位置に、縦隔壁６３、６４が縦隔壁５３、５４と直交して配設され、縦隔壁５２、５３、５４と縦隔壁６３、６４により６個のバラストタンク７３、７３、７３、７４、７４、７４が設けられている。縦隔壁５４、５５と縦隔壁６３、６４により、船体１の型幅を３等分に区画された３空間のうち中央区画を除く左右両舷側に位置する空間をバラストタンク７５、７５となし、バラストタンク７５、７５との間の型幅方向中央に位置する空間部１０はタンクとして使用しない。横隔壁８と上甲板４との間には、複数の縦隔壁１１によって空間部１２や清水タンク１３或いは燃料タンク１４が設けられている。尚、実施例１では、空間部１０を船尾側に設けているが、本発明はこれに限定しない。船体１の長さ方向に縦隔壁５３、５４で区画され、さらに型幅方向に縦隔壁６３、６４で３等分された区画のうち、船体中央部区画７４、７４、７４の中央に位置する区画７４、或いは船首側区画７３、７３、７３の中央に位置する区画７３の何れかを空間部とし、左右両舷側に位置する各１／３区画をバラストタンクとして用いることも本願発明に包含される。【００１６】  機関室３にはエンジン等の主機関（図示せず）が設けられ、出力軸（図示せず）には推進用プロペラ１５が取り付けられ、推進用プロペラ１５の後方には舵装置１６が設けられている。機関室３の上方であって、上甲板４上には居住室１７が設けられ、居住室１７の上方には操舵室１８が設けられている。操舵室１８、居住室１７及び機関室３は、階段、エレベーター等により船員が容易に行き来可能に連絡している。【００１７】  上甲板４にはセルガイド１９を船体１の長さ方向��所定間隔離隔して設けている。実施例１におけるセルガイド１９は、断面１０ｃｍ×１５ｃｍ程度の同一長さの角柱よりなる支柱を船体１の型幅方向に一定間隔離隔して立設し、支柱の上端には角柱を架設して連結し、積載コンテナ２０の下段後部を掛止する機能を有するものであるが、本願発明のセルガイドはこれに限定するものではなく、公知のセルガイドの何れを用いてもよい。【００１８】  図１、図５及び図６に示すように、船首海面２１下には球状船首２２を設けている。水平板２３は、球状船首２２の前端から船体１の前部に亘り、左右側方に突き出して設けている。図５に示すように、水平板２３は、水平板上面が船体１の縦中心線と９０度の角度を有して左右側方に延びる平坦面に形成され、水平板下面は船体１に取り付けられている基部側から左右外側方にかけて上傾する傾斜面に形成されている。【００１９】  球状船首２２の上方であって船首の下部に於ける満載喫水線位置には、船尾方向に窪み船体１の型幅方向（横方向）に延びる凹部２４を設けている。凹部２４は、満載喫水線と平行な平坦な上壁面２５と、上壁面２５と平行な平坦面よりなる下壁面２６と、満載喫水線と９０度の角度を有する側壁２７とよりなる。凹部２４は、下方向から上方向へ進む波を跳ね返す為に上壁面２５が満載喫水線と平行であれば足り、下壁面２６や側壁２７の形状は不問である。【００２０】  次に作用及び効果について説明する。
上記構成のコンテナ船は、上甲板４にコンテナ２０を複数列複数段積載し、コンテナ２０の後部をセルガイド１９で係止ロックさせて航行するものである。
航行中の球状船首２２から起こった波は、図６中に矢印で示すように上方へ移動しようとする。しかし、本願発明は球状船首２２に水平板２３を左右側方にフランジ状に突設しているので、図５及び図６中の波の移動を示す矢印の通り、船首波は水平板２３の下面傾斜面に案内されて外側方向へ進み、船首波の高さは低くなる。つまり、球状船首２２の球状部分で起こった波の高さが低くなる。船首正面に打ち上げる波は、凹部２４の上壁面２５に当たり下方向へ跳ね返されるため無くなる。又、図６に示すように、通常船首が起こす波と球状船首２２が起こす波とが互いに打ち消し合い、船体１の船首以外の部分の波も極めて低減され、航行中の船体１の前後上下方向への揺動は極めて低減される。このように、球状船首２２に水平板２３を設け、球状船首２２の上方位置であって船首下部の満載喫水線位置に凹部２４を設けることで、球状船首から起こる波が凹部２４の上壁面２４に跳ね返されて海中にて下方に進み、船首正面に打ち上がらなくなり、航行の際の船首波を原因とする船体の揺れが殆ど無くなる。又、居住室１７の上にもコンテナ２０の積載が可能なため、コンテナ積載総重量が増加可能となる。船首波が無くなると共に、船体１の揺れが極めて少なくなるため上甲板４上への積載コンテナ量が増加しても安定した航行をするという効果がある。
船尾側に型幅を３等分に区画し、中央の区画をタンクとして使用せず、左右両舷側に位置するタンクをバラストタンク７５、７５となし、該バラストタンク７５、７５は船体１の縦中心線を中心として左右対称となるように対設したので、横傾斜調整機能が向上するという効果がある。型幅を３等分に区画した場合、船体１の縦中心線上に配置された型幅の１／３の幅を有する中央の区画は横傾斜調整機能を有さないという理由によるものである。
【実施例２】
【００２１】  図７及び図８に示される実施例２について説明する。図１〜図６に示される実施例１と異なる点は船首に凹部を設けていない点であり、その他の構成は実施例１のコンテナ船と同じである。実施例２では、船首水面下には水平板２３を具備した球状船首２２を設けている。実施例２のコンテナ船であると、球状船首２２から起こった波は水平板２３の下面に案内されて横外側方向に進み、図８中で矢印で示すように船首のうち球状船首２２の上方に、僅かに船首に球状船首から起きる波が打ち上がる。従来のコンテナ船に比較して揺動が軽減される。
【実施例３】
【００２２】  図９〜図１１に示される実施例３について説明する。説明を簡単にするために、図１〜図４と同様の作用をなす部分は同一符号を用いて説明する。
バウスラスター室２から機関室３にかけては、横隔壁８により上甲板４から船底板９との間を上下に２分している。横隔壁８と船底板９との間には、船体１の縦中心線上に配設された縦隔壁６５と、船体１の型幅を３等分する縦隔壁６６、６７と、船体１の長さ方向に平行に離隔された縦隔壁５６、５７、５８、５９によりバラストタンク７６、７６、７７、７７、７８、７８が設けられている。バラストタンク７７とバラストタンク７８との間に介在する区画はタンクとして使用しない。船体１の型幅を３等分し、船体１の縦中心線上に配設される中央区画をタンクとして使用しないことで、一層横傾斜調整機能が向上する。
上甲板４と横隔壁８との間には居住室２８と燃料タンク２９を区画して設けている。上甲板４の上面であって船首側には操舵室１８を設けている。操舵室１８を船首側に設けることでコンテナ２０により視界が妨げられず、コンテナ２０の積載段数を増加することが出来る。又、球状船首２２に水平板２３を設けることで、航行中の船体１の前後上下揺動が低減されるので、コンテナ積載量の飛躍的な増量が可能になる。
【図面の簡単な説明】
【００２３】
【図１】コンテナ船にコンテナを積載した状態の概略的左側面図である。（実施例１）
【図２】コンテナ船にコンテナを積載した状態の一部切欠平面図である。（実施例１）
【図３】図１のＡ−Ａ線に沿う概略断面図である。（実施例１）
【図４】図１のＢ−Ｂ線に沿った各タンク及び水平板の配置状態を示す説明図である。（実施例１）
【図５】船体を正面から見た場合の船首波の進行状態を示す説明図である。（実施例１）
【図６】船体を側面から見た場合の船首波の進行状態を示す説明図である。（実施例１）
【図７】コンテナ船にコンテナを積載した状態の概略的左側面図である。（実施例２）
【図８】船体を側面から見た場合の船首波の進行状態を示す説明図である。（実施例２）
【図９】コンテナ船にコンテナを積載した状態の概略的左側面図である。（実施例３）
【図１０】コンテナ船にコンテナを積載した状態の一部切欠平面図である。（実施例３）
【図１１】図９のＣ−Ｃ線に沿った各タンク及び水平板の配置状態を示す説明図である。（実施例３）
【図１２】球状船首の原理を示す説明図である。
【符号の説明】
【００２４】  １  船体
４  上甲板
１１、５１、５２、５３、５４、５５、５６、５７、５８、５９、６１、６２、６３、６４、６５、６６、６７  縦隔壁
７１、７２、７３、７４、７５、７６、７７、７８  バラストタンク
８  横隔壁
９  船底板
１０、１２  空間部
１７、２８  居住室
１８  操舵室
２０  コンテナ
２１  海面
２２  球状船首
２３  水平板
２４  凹部
【図１】
2009190717.tif 000003
【図２】
2009190717.tif 000004
【図３】
2009190717.tif 000005
【図４】
2009190717.tif 000006
【図５】
2009190717.tif 000007
【図６】
2009190717.tif 000008
【図７】
2009190717.tif 000009
【図８】
2009190717.tif 000010
【図９】
2009190717.tif 000011
【図１０】
2009190717.tif 000012
【図１１】
2009190717.tif 000013
【図１２】
2009190717.tif 000014